(57)【要約】 【課題】  本発明は、ポケットティッシュ包装体に挿入することでポケットティッシュ携帯時の型崩れや散乱を防止し、繰り返し使用ができるようポケットティッシュ包装体とは別体に設けられたポケットティッシュ保護用シートの提供を課題とする。【解決手段】  ポケットティッシュ包装体の開封口から内部上面に挿入することで、ポケットティッシュ包装体や内部のティッシュペーパーを保護する保護用シートであって、ティッシュペーパー取出口が形成され、ポケットティッシュ包装体の平面形状に相似な形を有し、ポケットティッシュ包装体に大きく余すことなく挿入され、かつ取り出しが可能な寸法を有していることを特長とするポケットティッシュ保護用シートを提供する。なお前記シートは、ポケットティッシュ包装体とは別体に設けられ繰り返し使用できることを特徴とし、本体に絵柄や写真、文字等を印刷することにより広告媒体や商材として利用することができる。【選択図】  図３
2012046211.tif 000002
【特許請求の範囲】
【請求項１】
ポケットティッシュ包装体の上面に形成されたスリット状の開封口からポケットティッシュ包装体の内部上面に挿入することで、ポケットティッシュ包装体および前記開封口を補強し、ポケットティッシュ包装体内部のティッシュペーパーを保護する保護用シートであって、前記開封口に対応してティッシュペーパー取出口が形成され、ポケットティッシュ包装体の平面形状に相似な形を有し、この形はポケットティッシュ包装体に大きく余すことなく挿入され、かつ取り出し可能な寸法を有していることを特長とするポケットティッシュ保護用シート。    
【請求項２】
保護用シートは、ポケットティッシュ包装体とは別体に設けられ、繰り返し使用できることを特徴とする請求項１に記載のポケットティッシュ保護用シート。
【請求項３】
本体に絵柄や写真、文字等を印刷した請求項１乃至２に記載のポケットティッシュ保護用シート。
【請求項４】
請求項１乃至３の何れかに記載のポケットティッシュ保護用シートを挿入したポケットティッシュ。
【発明の詳細な説明】
【技術分野】
【０００１】
本発明は、ポケットティッシュに関するものである。        
【背景技術】
【０００２】
従来、ポケットティッシュ携帯時の型崩れや散乱を防止するために、ポケットティッシュ全体をカバーで覆う技術や、包装体の開封口付近に保護シートや蓋体を固着するという技術はあった。しかしながら、ポケットティッシュ保護用シートをポケットティッシュ包装体と別体に設けポケットティッシュ包装体に挿入し、繰り返し使用するという技術はなかった。
【先行技術文献】
【特許文献】
【０００３】
【特許文献１】特開2005-096865
【特許文献２】実開平06-035182
【特許文献３】特開2002-160782
【発明の概要】
【発明が解決しようとする課題】
【０００４】
たとえば特開2005-096865や実開平06-035182のような技術においてはポケットティッシュの型崩れや散乱を防止することはできるが、カバーがポケットティッシュ包装体全体を覆うため、携帯時にかさばってしまうことがあった。また、特開2002-160782のような技術においては、保護シートや蓋体が包装体に固着されているため別体への繰り返しの使用は難しいと考えられた。
そこで本発明は、ポケットティッシュ包装体に挿入することでポケットティッシュ携帯時の型崩れや散乱を防止し、繰り返し使用ができるようポケットティッシュ包装体とは別体に設けられたポケットティッシュ保護用シートの提供を課題とする。
【課題を解決するための手段】
【０００５】
以上の課題を解決するために請求項１記載の本発明は、ポケットティッシュ包装体の上面に形成されたスリット状の開封口からポケットティッシュ包装体の内部上面に挿入することで、ポケットティッシュ包装体および前記開封口を補強し、ポケットティッシュ包装体内部のティッシュペーパーを保護する保護用シートであって、前記開封口に対応してティッシュペーパー取出口が形成され、ポケットティッシュ包装体の平面形状に相似な形を有し、この形はポケットティッシュ包装体に大きく余すことなく挿入され、かつ取り出し可能な寸法を有していることを特長とするポケットティッシュ保護用シートである。    
【０００６】
請求項２記載の本発明は、保護用シートはポケットティッシュ包装体とは別体に設けられ、繰り返し使用できることを特徴とするポケットティッシュ保護用シートである。
【発明の効果】
【０００７】
請求項1記載の本発明によれば、ポケットティッシュ保護用シートはポケットティッシュ包装体の平面形状に相似な形を有し、この形はポケットティッシュ包装体に大きく余すことなく挿入され、かつ取り出し可能な寸法を有するので、ポケットティッシュ包装体の平面形状にきっちりと収まる。このためポケットティッシュ包装体の全体を覆わなくても形崩れを防止し、ポケットティッシュ包装体や内部のティッシュペーパーを十分に保護することができるので、従来の技術に比べ携帯性に優れ、製作コストも抑えられる。
【０００８】
請求項２記載の本発明によれば、ポケットティッシュ保護用シートはポケットティッシュ包装体とは別体に設けることができるので、繰り返し使用でき経済的である。
【０００９】
請求項３記載の本発明によれば、ポケットティッシュ保護用シートに広告を印刷し使用した場合、中のティッシュペーパーを全て使い切っても前記シートは繰り返し使用できることから、従来のポケットティッシュに挿入されている紙製の広告やポケットティッシュ包装体に印刷されている広告と違い、処分されずに高い宣伝効果を得ることができる。
【００１０】
請求項３記載の本発明によれば、ポケットティッシュ保護用シートに所有者の氏名等の記入領域を設けることにより、ポケットティッシュの取り違えが減り、また万が一ポケットティッシュを携帯時に落としてしまったときでも持ち主が特定しやすくなる。
【００１１】
従来のポケットティッシュ製品はポケットティッシュ包装体に人物写真やキャラクターのイラスト等が印刷されており、中のティッシュペーパーを全て使い切ってもしまうと前記包装体に印刷されたデザインの価値は下がってしまうことがあったが、請求項４記載の本発明によれば、ポケットティッシュ保護用シートは繰り返し使用できることから、印刷されたデザインはポケットティッシュ製品に対し従来以上の付加価値を与えることができる。
【図面の簡単な説明】
【００１２】
【図１】本発明の正面図。
【図２】本発明の斜視図。
【図３】本発明をポケットティッシュ包装体に挿入する方法を示す正面図。
【図４】本発明をポケットティッシュ包装体に挿入する方法を示す斜視図。
【図５】本発明の使用方法を示す正面図。
【図６】本発明の使用方法を示す斜視図。
【図７】本発明をポケットティッシュ包装体から取り出す方法を示す斜視図。
【図８】本発明の名入れ印刷について一例を示す正面図。
【図９】本発明に設ける氏名等の記入領域について一例を示す正面図。
【発明を実施するための形態】
【００１３】
以下、本発明の実施の形態について説明する。
ポケットティッシュ保護用シート１をポケットティッシュ包装体３へ挿入する方法について図３および４を参照しつつ説明すれば、ポケットティッシュ包装体３の上面に形成されたスリット状の開封口４を開き、開封口４よりポケットティッシュ保護用シート１をポケットティッシュ包装体３の角ｋ１とポケットティッシュ保護用シート１のコーナーｃ１を合わせるようにして差し込む。次にポケットティッシュ包装体３の長辺ｂ１とポケットティッシュ保護用シート１の長辺ｂ３を合わせるようにする。続いてポケットティッシュ包装体３の上下をポケットティッシュ保護用シート１ごと持ち替え、開封口４をポケットティッシュ包装体３の長辺ｂ２方向に広げつつポケットティッシュ保護用シート１のコーナーｃ４付近を軽く押し曲げ、角ｋ４とコーナーｃ４を合わせるようにポケットティッシュ包装体３に差し込む。同様に角ｋ３とコーナーｃ３を合わせるようにして、ポケットティッシュ保護シート１の全体がポケットティッシュ包装体３の内部上面、ティッシュペーパー５の上にきっちりと収まるようにする。
【００１４】
本発明の使用方法について図５および６を参照しつつ説明すれば、開封口４を開け広げ、ポケットティッシュ包装体３に挿入されたポケットティッシュ保護用シート１を下面のティッシュペーパー５に軽く押さえつけるようにして、ティッシュペーパー取出口２よりティッシュペーパー５を取り出し使用する。
【００１５】
ポケットティッシュ保護用シート１をポケットティッシュ包装体３より取り出す方法について図７を参照しつつ説明すれば、ポケットティッシュ包装体３の中のティッシュペーパー５を全て使い切ったら、開封口４よりポケットティッシュ保護用シート１のティッシュペーパー取出口２に指等を引っ掛けて手前に引っぱり取り出す。
【００１６】
ポケットティッシュ保護用シート１は繰り返して使用することが出来るが、汚れた場合は、水洗いをするなどし清潔な状態を保つようにする。また、破損した場合は使用を取りやめる。
【００１７】
ポケットティッシュ保護用シート１の材質は、ティッシュペーパーの包装体として衛生的に利用が可能な素材で、ポケットティッシュ包装体３への挿入および取り出しが容易にできるよう柔軟性のあるものとする。
例えば以下のような素材が考えられる。
（イ）厚さ０．３〜０．７５ミリ程度のポリプロピレンやポリエチレン製シートのような曲げても破損しづらいプラスティック系の素材。
（ロ）ポケットに入れてもやわらかく子供が使用しても安全な厚さ１.５〜２ミリ程度のプラスティック系およびゴム系の発泡素材で、表面をコーティングしポケットティッシュ包装体３中のティッシュペーパー５を取り出しやすく加工したもの。
（ハ）厚さ０．３〜０．７５ミリ程度の紙素材で表面を折れ曲がりにくいよう加工したもの。
なおいずれの素材も必要な場合は表面を抗菌加工し、ポケットティッシュ包装体３の中のティッシュペーパー５を衛生的に保護できるようにする。
【００１８】
ポケットティッシュ保護用シート１の形状は、挿入されるポケットティッシュ包装体３の平面形状に相似な形を有し、この形はポケットティッシュ包装体に大きく余すことなく挿入され、かつ取り出し可能なものとする。
例えば図面上のポケットティッシュ保護用シート１の形状は、ポケットティッシュ包装体の平面形状に相似な四角形で、コーナーｃ１、ｃ２、ｃ３、ｃ４は角を丸くしポケットティッシュ包装体３への挿入および取り出しを容易にしたものである。
ポケットティッシュ保護用シート１の形状は、このほかにもポケットティッシュ包装体の平面形状に相似な四角形の一部を変形、型抜きしたもの等が考えられる。
【００１９】
ポケットティッシュ保護用シート１の寸法は、挿入されるポケットティッシュ包装体３の寸法に対して設定され、その長さおよび幅はそれぞれ挿入されるポケットティッシュ包装体３の長さおよび幅の７５〜８５％程度を目安とする。
例えば図面上では、ポケットティッシュ包装体３の寸法を現在よく使用されてる長さ約１２４ミリ、幅約８２ミリのものとし、それに対し挿入されるポケットティッシュ保護用シート１としてその寸法を長さ１００ミリ、幅６４ミリとした。
【００２０】
ポケットティッシュ保護用シート１に設けるティッシュペーパー取出口２の形状は、ティッシュペーパー５をポケットティッシュ包装体３にある開封口４より容易に取り出せるものとする。
例えば図面上のティッシュペーパー取出口２の形状は楕円形である。
ティッシュペーパー取出口２の形状は、このほかにも円形や角型が考えられる。
【００２１】
ポケットティッシュ保護用シート１に設けるティッシュペーパー取出口２の寸法は、ティッシュペーパー５をポケットティッシュ包装体３にある開封口４より容易に取り出せるものとし、面積は６平方ｃｍ〜１４平方ｃｍ程度を目安とする。
例えば図面上のティッシュペーパー取出口２は楕円形でその寸法は、幅２５ミリ、長さ４０ミリ、面積は約８．６平方ｃｍとした。
【００２２】
ポケットティッシュ保護用シート１に設けるティッシュペーパー取出口２の配置は、ティッシュペーパー５をポケットティッシュ包装体３にある開封口４より容易に取り出せるものとし、さらにポケットティッシュ保護用シート１の強度を保つためには、その外端はポケットティッシュ保護用シート１のどの辺端からも１０ミリ以上は内側になるよう配置することが望ましい。
例えば図面上のティッシュペーパー取出口２は、図1を参照しつつ説明すれば、その中心がポケットティッシュ保護用シート１の短辺方向の中心に配置され、その外端はポケットティッシュ保護用シート１の辺端より１５ミリ内側に配置されている。
【００２３】
請求項３に記載の本発明に係る印刷について図８を参照しつつ説明すれば、ポケットティッシュ保護用シート1は、本体表面および裏面またはいずれかに絵柄や広告等を印刷することができる。またあらかじめ絵柄等を印刷したポケットティッシュ保護シート１に追加で会社名や個人名を印刷する名入れ印刷６や箔押をすることができる。
【００２４】
本発明に設ける氏名等の記入領域について図９を参照しつつ説明すれば、ポケットティッシュ保護用シート1は、本体表面または裏面いずれかに氏名等の記入領域７を設けることにより所有者がマジック等で氏名等を記入し使用することができる。
【産業上の利用可能性】
【００２５】
請求項１記載の本発明によれば、ポケットティッシュ保護用シートはポケットティッシュ包装体の全体を覆わなくても形崩れを防止し、前記包装体や内部のティッシュペーパーを十分に保護することができるので、従来の技術に比べ携帯性に優れ、製作コストも抑えられる。
【００２６】
請求項３記載の本発明によれば、ポケットティッシュ保護用シートに広告を印刷することにより、シート本体および挿入したポケットティッシュは広告媒体やノベルティとして利用することができる。
【００２７】
請求項３記載の本発明によれば、ポケットティッシュ保護用シートに人物写真やキャラクターのイラスト等を印刷することにより、シート本体および挿入したポケットティッシュは商材として利用することができる。
【００２８】
請求項３記載の本発明によれば、ポケットティッシュ保護用シートに所有者の氏名等の記入領域を設けることにより、ポケットティッシュの取り違えが減り、また万が一ポケットティッシュを携帯時に落としてしまったときでも持ち主が特定しやすくなることから、例えば集団生活の場に通う子供向けのポケットティッシュ製品に利用することができる。  
【００２９】
請求項３記載の本発明によれば、あらかじめ絵柄等を印刷したポケットティッシュ保護用シートに会社名や個人名を追加で印刷する名入れ印刷や箔押を行うことにより、同じ絵柄のポケットティッシュ保護用シートであってもオリジナルのものとして広告媒体やノベルティに利用することができ、個別にかかる製作コストを抑えることができる。
【符号の説明】
【００３０】
１  ポケットティッシュ保護用シート
２  ティッシュペーパー取出口
３  ポケットティッシュ包装体
４  開封口
５  ティッシュペーパー
ｋ１  ポケットティッシュ包装体  角１
ｋ２  ポケットティッシュ包装体  角２
ｋ３  ポケットティッシュ包装体  角３
ｋ４  ポケットティッシュ包装体  角４
ｃ１  ポケットティッシュ保護用シート  コーナー１
ｃ２  ポケットティッシュ保護用シート  コーナー２
ｃ３  ポケットティッシュ保護用シート  コーナー３
ｃ４  ポケットティッシュ保護用シート  コーナー４
ｂ１  ポケットティッシュ包装体  長辺１
ｂ２  ポケットティッシュ包装体  長辺２
ｂ３  ポケットティッシュ保護用シート  長辺１
６  名入れ印刷
７  氏名等の記入領域
【図１】
2012046211.tif 000003
【図２】
2012046211.tif 000004
【図３】
2012046211.tif 000005
【図４】
2012046211.tif 000006
【図５】
2012046211.tif 000007
【図６】
2012046211.tif 000008
【図７】
2012046211.tif 000009
【図８】
2012046211.tif 000010
【図９】
2012046211.tif 000011